(57)【要約】【課題】  現在放送中の複数のテレビ番組の中から１つのテレビ番組を選択しようとしている場合に、ＴＶ受像機に表示されるコンテンツ画面の表示を妨げることなく、盛り上がっているテレビ番組やお薦めのテレビ番組の存在をユーザに通知することができる遠隔操作装置を提供する。【解決手段】  遠隔操作装置の制御部２０は、第２無線通信部１５を制御して、ＴＶ受像機２において選局可能な各放送局によって放送されているテレビ番組の盛り上がり度を、サーバ装置５０から定期的に取得させる盛り上がり度取得部４２と、選局ボタンが操作されると、該選局ボタンの操作によって選局された放送局によって放送されているテレビ番組の推奨度に対応付けられた振動パターンで、振動部１３の振動モータ１３ａを駆動させる振動制御部４６とを備える。【選択図】      図１２
2014027636.tif 000002
【特許請求の範囲】
【請求項１】
選局ボタンを有する操作部と、
テレビジョン受像機において選局される放送局を切り替えるための無線信号を出力する第１無線通信部と、
各放送局によって放送されているテレビ番組の推奨度を導出するサーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部とを含み、
前記制御部は、
前記第２無線通信部を制御して、テレビジョン受像機において選局可能な各放送局によって放送されているテレビ番組の推奨度を、前記サーバ装置から定期的に取得させる推奨度取得部と、
選局ボタンが操作されると、該選局ボタンの操作によって選局された放送局によって放送されているテレビ番組の推奨度の度合いを通知するための動作を、前記通知動作部に実行させる通知動作制御部とを備えることを特徴とする遠隔操作装置。
【請求項２】
前記通知動作部は、振動発生部を備え、
推奨度と前記振動発生部による振動パターンとが対応付けられた対応テーブルを記憶する記憶部をさらに含み、
前記通知動作制御部は、選局ボタンが操作されると、該選局ボタンの操作によって選局された放送局によって放送されているテレビ番組の推奨度に対応付けられた振動パターンで、前記振動発生部を振動させることを特徴とする請求項１記載の遠隔操作装置。
【請求項３】
選局ボタンを有する操作部と、
テレビジョン受像機において選局される放送局を切り替えるための無線信号を出力する第１無線通信部と、
各放送局によって放送されているテレビ番組の推奨度を導出し、放送局ごとに、導出した推奨度に基づいて前記推奨度の度合いを通知するときの動作パターンを割り当てるサーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部とを含み、
前記制御部は、
前記第２無線通信部を制御して、テレビジョン受像機において選局可能な各放送局に割り当てられている動作パターンを、前記サーバ装置から定期的に取得させる動作パターン取得部と、
選局ボタンが操作されると、該選局ボタンの操作によって選局された放送局に割り当てられている動作パターンで、推奨度の度合いを通知するための動作を、前記通知動作部に実行させる通知動作制御部とを備えることを特徴とする遠隔操作装置。
【請求項４】
前記通知動作部は、振動発生部を備え、
前記通知動作制御部は、選局ボタンが操作されると、該選局ボタンの操作によって選局された放送局によって放送されているテレビ番組の推奨度に対応付けられた動作パターンで、前記振動発生部を振動させることを特徴とする請求項３記載の遠隔操作装置。
【請求項５】
前記推奨度は、テレビ番組の盛り上がりの度合いを示す指標であることを特徴とする請求項１〜４のいずれか１つに記載の遠隔操作装置。
【請求項６】
請求項１記載の遠隔操作装置と通信ネットワークを介して通信可能なサーバ装置であって、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部とを含むことを特徴とするサーバ装置。
【請求項７】
請求項３記載の遠隔操作装置と通信ネットワークを介して通信可能なサーバ装置であって、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部と、
放送局ごとに、導出した推奨度に基づいて、前記推奨度の度合いを通知するときの動作パターンを割り当てる動作パターン決定部とを含むことを特徴とするサーバ装置。
【請求項８】
放送局ごとに１または複数のキーワードが対応付けられた対応テーブルを記憶する記憶部をさらに含み、
前記推奨度導出部は、対応テーブルに記憶されているキーワードとミニブログの内容とを対比して、前記データ抽出部によって抽出されたミニブログを放送局ごとに分類することを特徴とする請求項６または７に記載のサーバ装置。
【請求項９】
通信ネットワークを介して互いに通信可能な遠隔操作装置とサーバ装置とによって構成される情報通信システムであって、
前記サーバ装置は、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部とを含み、
前記遠隔操作装置は、
選局ボタンを有する操作部と、
テレビジョン受像機において選局される放送局を切り替えるための無線信号を出力する第１無線通信部と、
前記サーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部であって、
前記第２無線通信部を制御して、テレビジョン受像機において選局可能な各放送局によって放送されているテレビ番組の推奨度を、前記サーバ装置から定期的に取得させる推奨度取得部と、
選局ボタンが操作されると、該選局ボタンの操作によって選局された放送局によっ
て放送されているテレビ番組の推奨度の度合いを通知するための動作を、前記通知動作部に実行させる通知動作制御部とを備える制御部とを含むことを特徴とする情報通信システム。
【請求項１０】
通信ネットワークを介して互いに通信可能な遠隔操作装置とサーバ装置とによって構成される情報通信システムであって、
前記サーバ装置は、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部と、
放送局ごとに、導出した推奨度に基づいて、前記推奨度の度合いを通知するときの動作パターンを割り当てる動作パターン決定部とを含み、
前記遠隔操作装置は、
選局ボタンを有する操作部と、
テレビジョン受像機において選局される放送局を切り替えるための無線信号を出力する第１無線通信部と、
前記サーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部であって、
前記第２無線通信部を制御して、テレビジョン受像機において選局可能な各放送局に割り当てられている動作パターンを、前記サーバ装置から定期的に取得させる動作パターン取得部と、
選局ボタンが操作されると、該選局ボタンの操作によって選局された放送局に割り当てられている動作パターンで、推奨度の度合いを通知するための動作を、前記通知動作部に実行させる通知動作制御部とを備える制御部とを含むことを特徴とする情報通信システム。
【請求項１１】
コンピュータを、請求項１または３に記載の遠隔操作装置における制御部として機能させるためのプログラム。
【請求項１２】
請求項１１に記載のプログラムを記録したコンピュータ読取可能な記録媒体。
【発明の詳細な説明】
【技術分野】
【０００１】
本発明は、遠隔操作装置、サーバ装置、情報通信システム、プログラムおよび記録媒体に関する。
【背景技術】
【０００２】
テレビジョン受像機（以下、「ＴＶ受像機」と略記する）でテレビ番組を視聴しようとする際、ユーザは、ＴＶ受像機を遠隔操作するための遠隔操作装置（以下、「リモコン」と略記する）を操作して、放送チャンネルを頻繁に切替えるいわゆるザッピングを行うことにより、各テレビ番組の番組内容を短時間ずつ目視で確認しながら、視聴するテレビ番組を選択することがある。また、視聴するテレビ番組を選択するに当たっては、リモコンを操作して番組表をＴＶ受像機に表示させ、テレビ番組の番組タイトルや番組内容などが記載された番組情報を目視で確認しながら、興味を惹くテレビ番組を選択することもある。
【０００３】
ユーザにとって、視聴するテレビ番組を選択しようとする際、目的のテレビ番組がない場合には、現在盛り上がっているテレビ番組を選択したいという要望がある。しかしながら、上記のような選択方法では、ユーザは、選択したテレビ番組が、現在盛り上がっているか否かを把握することができない。
【０００４】
たとえば特許文献１には、現在盛り上がっているテレビ番組を、ユーザに通知する機能を有する放送受信装置が提案されている。特許文献１に開示される従来の技術によれば、放送受信装置は、ネットワークを介して、視聴率情報を番組単位で集計して管理する外部のサーバ装置から、現在放送中の各テレビ番組の視聴率情報を定期的に自動で取得し、取得した各テレビ番組の視聴率と予め設定された値とを比較することによって、現在盛り上がっているテレビ番組（盛り上がり番組）を検出する。そして、現在視聴中のテレビ番組と盛り上がり番組とが異なっている場合に、盛り上がり番組の存在を示すＧＵＩ（Graphical User Interface）画面を表示することにより、盛り上がり番組の存在をユーザに通知するように構成されている。
【先行技術文献】
【特許文献】
【０００５】
【特許文献１】特開２０１０−２６３５２７号公報
【発明の概要】
【発明が解決しようとする課題】
【０００６】
しかしながら、特許文献１に開示される従来の技術では、テレビ番組を視聴している最中に、突然、テレビ番組のコンテンツ画面から、盛り上がり番組の存在を示すＧＵＩ画面に切り替わってしまうことになる。したがって、テレビ番組を集中して視聴しているユーザにとっては、当該ＧＵＩ画面へ切り替わることは、視聴の妨げとなってしまうという問題がある。
【０００７】
また、特許文献１に開示される従来の技術では、盛り上がり番組の存在を示すＧＵＩ画面を用いたユーザへの通知は、放送受信装置に電源が供給されている間中ずっと行われるように構成されている。しかしながら、ユーザが現在盛り上がっているテレビ番組を視聴したいと希望するのは、たとえば目的とするテレビ番組がなく、現在放送中の複数のテレビ番組の中から１つのテレビ番組を選択しようとしている場合であり、このような場合を
対象として盛り上がっているテレビ番組をユーザに通知する技術については、特許文献１には開示されていない。
【０００８】
本発明の目的は、現在放送中の複数のテレビ番組の中から１つのテレビ番組を選択しようとしている場合に、ＴＶ受像機に表示されるコンテンツ画面の表示を妨げることなく、盛り上がっているテレビ番組やお薦めのテレビ番組の存在をユーザに通知することができる遠隔操作装置、サーバ装置、情報通信システム、プログラムおよび記録媒体を提供することである。
【課題を解決するための手段】
【０００９】
本発明は、選局ボタンを有する操作部と、
テレビジョン受像機において選局される放送局を切り替えるための無線信号を出力する第１無線通信部と、
各放送局によって放送されているテレビ番組の推奨度を導出するサーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部とを含み、
前記制御部は、
前記第２無線通信部を制御して、テレビジョン受像機において選局可能な各放送局によって放送されているテレビ番組の推奨度を、前記サーバ装置から定期的に取得させる推奨度取得部と、
選局ボタンが操作されると、該選局ボタンの操作によって選局された放送局によって放送されているテレビ番組の推奨度の度合いを通知するための動作を、前記通知動作部に実行させる通知動作制御部とを備えることを特徴とする遠隔操作装置である。
【００１０】
また本発明は、前記通知動作部は、振動発生部を備え、
推奨度と前記振動発生部による振動パターンとが対応付けられた対応テーブルを記憶する記憶部をさらに含み、
前記通知動作制御部は、選局ボタンが操作されると、該選局ボタンの操作によって選局された放送局によって放送されているテレビ番組の推奨度に対応付けられた振動パターンで、前記振動発生部を振動させることを特徴とする。
【００１１】
また本発明は、選局ボタンを有する操作部と、
テレビジョン受像機において選局される放送局を切り替えるための無線信号を出力する第１無線通信部と、
各放送局によって放送されているテレビ番組の推奨度を導出し、放送局ごとに、導出した推奨度に基づいて前記推奨度の度合いを通知するときの動作パターンを割り当てるサーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部とを含み、
前記制御部は、
前記第２無線通信部を制御して、テレビジョン受像機において選局可能な各放送局に割り当てられている動作パターンを、前記サーバ装置から定期的に取得させる動作パターン取得部と、
選局ボタンが操作されると、該選局ボタンの操作によって選局された放送局に割り当てられている動作パターンで、推奨度の度合いを通知するための動作を、前記通知動作部に実行させる通知動作制御部とを備えることを特徴とする遠隔操作装置である。
【００１２】
また本発明は、前記通知動作部は、振動発生部を備え、
前記通知動作制御部は、選局ボタンが操作されると、該選局ボタンの操作によって選局された放送局によって放送されているテレビ番組の推奨度に対応付けられた動作パターンで、前記振動発生部を振動させることを特徴とする。
【００１３】
また本発明は、前記推奨度は、テレビ番組の盛り上がりの度合いを示す指標であることを特徴とする。
【００１４】
また本発明は、前記遠隔操作装置と通信ネットワークを介して通信可能なサーバ装置であって、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部とを含むことを特徴とするサーバ装置である。
【００１５】
また本発明は、前記遠隔操作装置と通信ネットワークを介して通信可能なサーバ装置であって、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部と、
放送局ごとに、導出した推奨度に基づいて、前記推奨度の度合いを通知するときの動作パターンを割り当てる動作パターン決定部とを含むことを特徴とするサーバ装置である。
【００１６】
また本発明は、放送局ごとに１または複数のキーワードが対応付けられた対応テーブルを記憶する記憶部をさらに含み、
前記推奨度導出部は、対応テーブルに記憶されているキーワードとミニブログの内容とを対比して、前記データ抽出部によって抽出されたミニブログを放送局ごとに分類することを特徴とする。
【００１７】
また本発明は、通信ネットワークを介して互いに通信可能な遠隔操作装置とサーバ装置とによって構成される情報通信システムであって、
前記サーバ装置は、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部とを含み、
前記遠隔操作装置は、
選局ボタンを有する操作部と、
テレビジョン受像機において選局される放送局を切り替えるための無線信号を出力する第１無線通信部と、
前記サーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部であって、
前記第２無線通信部を制御して、テレビジョン受像機において選局可能な各放送局によって放送されているテレビ番組の推奨度を、前記サーバ装置から定期的に取得させる推奨度取得部と、
選局ボタンが操作されると、該選局ボタンの操作によって選局された放送局によって放送されているテレビ番組の推奨度の度合いを通知するための動作を、前記通知動作部に実行させる通知動作制御部とを備える制御部とを含むことを特徴とする情報通信システムである。
【００１８】
また本発明は、通信ネットワークを介して互いに通信可能な遠隔操作装置とサーバ装置とによって構成される情報通信システムであって、
前記サーバ装置は、
ミニブログサービスを提供する外部の装置から、該外部の装置に投稿されたミニブログを定期的に取得するデータ取得部と、
前記データ取得部によって取得されたミニブログの中から、各放送局によって放送されているテレビ番組に関するミニブログを抽出するデータ抽出部と、
前記データ抽出部によって抽出されたミニブログを、そのミニブログの内容に基づいて放送局ごとに分類して、各放送局によって放送されているテレビ番組の推奨度を導出する推奨度導出部と、
放送局ごとに、導出した推奨度に基づいて、前記推奨度の度合いを通知するときの動作パターンを割り当てる動作パターン決定部とを含み、
前記遠隔操作装置は、
選局ボタンを有する操作部と、
テレビジョン受像機において選局される放送局を切り替えるための無線信号を出力する第１無線通信部と、
前記サーバ装置と通信ネットワークを介して通信する第２無線通信部と、
推奨度の度合いを通知するための動作を実行する通知動作部と、
選局ボタンが操作されると、該選局ボタンに応じた放送局に切り替えるための無線信号を第１無線通信部に出力させる制御部であって、
前記第２無線通信部を制御して、テレビジョン受像機において選局可能な各放送局に割り当てられている動作パターンを、前記サーバ装置から定期的に取得させる動作パターン取得部と、
選局ボタンが操作されると、該選局ボタンの操作によって選局された放送局に割り当てられている動作パターンで、推奨度の度合いを通知するための動作を、前記通知動作部に実行させる通知動作制御部とを備える制御部とを含むことを特徴とする情報通信システムである。
【００１９】
また本発明は、コンピュータを、前記遠隔操作装置における制御部として機能させるためのプログラムである。
また本発明は、前記プログラムを記録したコンピュータ読取可能な記録媒体である。
【発明の効果】
【００２０】
本発明によれば、現在放送中の複数のテレビ番組の中から１つのテレビ番組を選択しようとしている場合に、ＴＶ受像機に表示されるコンテンツ画面の表示を妨げることなく、盛り上がっているテレビ番組やお薦めのテレビ番組の存在をユーザに通知することができる。
【図面の簡単な説明】
【００２１】
【図１】本発明の一実施形態に係る情報通信システム１の概略的な構成を示す概略構成図である。
【図２】本発明の一実施形態に係るサーバ装置５０の概略的な構成を示すブロック図である。
【図３】本発明の一実施形態に係るサーバ装置５０において、制御部５５が盛り上がり度導出プログラム６１を実行することによって実現される各種の機能を示す機能ブロック図である。
【図４】ミニブログサーバ装置４に蓄積されるミニブログデータＭ１，Ｍ２の例を示す図である。
【図５】サーバ装置５０の記憶部５４に格納されるキーワードテーブル８１の一例を示す図である。
【図６】サーバ装置５０の記憶部５４に格納されるミニブログ抽出情報テーブル８２の一例を示す図である。
【図７】サーバ装置５０の記憶部５４に格納される盛り上がり度テーブル８３の一例を示す図である。
【図８】サーバ装置５０において実行されるミニブログ抽出情報テーブル作成処理の処理手順を示すフローチャートである。
【図９】サーバ装置５０において実行される盛り上がり度導出処理の処理手順を示すフローチャートである。
【図１０】本発明の一実施形態に係る携帯端末装置１０の外観を示す平面図である。
【図１１】本発明の一実施形態に係る携帯端末装置１０の概略的な構成を示すブロック図である。
【図１２】本発明の一実施形態に係る携帯端末装置１０において、制御部２０がリモコンプログラム３４を実行することによって実現される各種の機能を示す機能ブロック図である。
【図１３】携帯端末装置１０の記憶部１９に格納されるリモコンキーテーブル４７の一例を示す図である。
【図１４】リモコンプログラム３４の実行に伴って表示面２１ａに表示されるリモコン画面９０の一例を示す図である。
【図１５】携帯端末装置１０の記憶部１９に格納される盛り上がり度テーブル４８の一例を示す図である。
【図１６】携帯端末装置１０の記憶部１９に格納される振動パターンテーブル４９の一例を示す図である。
【図１７】携帯端末装置１０においてリモコンプログラム３４の実行中に行われる盛り上がり度テーブル更新処理の処理手順を示すフローチャートである。
【図１８】携帯端末装置１０においてリモコンプログラム３４の実行中に行われる盛り上がり通知処理の処理手順を示すフローチャートである。
【図１９】本発明の他の実施形態に係るサーバ装置５０Ａにおいて、制御部５５が盛り上がり度導出プログラム６１を実行することによって実現される各種の機能を示す機能ブロック図である。
【図２０】本発明の他の実施形態に係る携帯端末装置１０Ａにおいて、制御部２０がリモコンプログラム３４を実行することによって実現される各種の機能を示す機能ブロック図である。
【図２１】携帯端末装置１０Ａの記憶部１９に格納される放送局別振動パターンテーブル１０３の一例を示す図である。
【発明を実施するための形態】
【００２２】
図１は、本発明の一実施形態に係る情報通信システム１の概略的な構成を示す概略構成図である。本実施形態に係る情報通信システム１は、テレビジョン受像機（以下、「ＴＶ
受像機」と略記する）２を遠隔操作するための遠隔操作装置として機能する携帯端末装置１０と、テレビ番組を放送する各放送局によって現在放送されているテレビ番組の盛り上がり度（推奨度）を導出するように構成されたサーバ装置５０とを含んで構成され、携帯端末装置１０とサーバ装置５０とは、通信ネットワーク３を介して互いに通信可能に構成されている。
【００２３】
以下では、まず、サーバ装置５０の構成について説明する。図２は、本発明の一実施形態に係るサーバ装置５０の概略的な構成を示すブロック図である。サーバ装置５０は、通信部５１と、操作部５２と、表示部５３と、記憶部５４と、制御部５５とを含んで構成される。
【００２４】
通信部５１は、通信ネットワーク３を介して、携帯端末装置１０、およびミニブログサービスを提供するミニブログサーバ装置４と通信を行うための通信インターフェイスとして機能する。
【００２５】
操作部５２は、たとえばキーボードやマウスなどによって実現され、サーバ装置５０の管理者などによって操作されることにより、その操作に対応した指令信号や入力データを制御部５５へ出力する。表示部５３は、制御部５５から与えられる画像データの画像を表示可能に構成され、たとえば液晶表示装置によって実現される。
【００２６】
記憶部５４は、制御部５５での処理に利用されるソフトウェアやデータを保存する記憶装置であり、サーバ装置５０に電源が供給されている間のみデータ保持が可能なＳＲＡＭ（Static Random Access Memory）およびＤＲＡＭ（Dynamic Random Access Memory）や
、サーバ装置５０への電源供給が遮断された状態でも記録したデータを保持し続けることが可能なフラッシュメモリおよびＥＥＰＲＯＭ（Electrically Erasable Programmable Read Only Memory）（登録商標）などによって実現される。
【００２７】
この記憶部５４には、サーバ装置５０の基本的な機能を実現するオペレーティングシステムプログラムのほか、各放送局によって現在放送されているテレビ番組の盛り上がり度を導出する機能を実現するための盛り上がり度導出プログラム６１が格納されている。さらに、記憶部５４には、盛り上がり度導出プログラム６１を実行する際に用いられるデータおよび各種処理条件などを含む処理条件データ６２も格納されている。この処理条件データ６２には、後述するキーワードテーブル８１、ミニブログ抽出情報テーブル８２、および盛り上がり度テーブル８３などが含まれる。
【００２８】
制御部５５は、サーバ装置５０の全体的な動作を統括的に制御する処理部であり、たとえばＣＰＵ（Central Processing Unit）によって実現される。制御部５５は、サーバ装
置５０において行われる各種の処理が、操作部５２に対する操作や、サーバ装置５０の記憶部５４に記憶される各種のプログラムに応じて適切に実行されるように、通信部５１、表示部５３および記憶部５４を制御する。
【００２９】
図３は、本発明の一実施形態に係るサーバ装置５０において、制御部５５が盛り上がり度導出プログラム６１を実行することによって実現される各種の機能を示す機能ブロック図である。
【００３０】
制御部５５は、記憶部５４に記憶される盛り上がり度導出プログラム６１を実行することによって、ミニブログ取得部７１、キーワード管理部７２、ミニブログ抽出部７３、ミニブログ抽出情報管理部７４、盛り上がり度集計部７５、盛り上がり度管理部７６、盛り上がり度送信部７７として機能する。
【００３１】
ミニブログ取得部７１は、通信部５１を制御し、通信ネットワーク３を介して、予め定めるミニブログサーバ装置４から、そのミニブログサーバ装置４に蓄積されているミニブログデータを取得する。このミニブログサーバ装置４は、携帯端末装置やパーソナルコンピュータなど通信ネットワーク３に接続可能な端末装置５から投稿されたミニブログを、ミニブログデータとして蓄積するように構成されており、たとえばＴｗｉｔｔｅｒ（登録商標）のサービスを提供するサーバ装置によって実現される。
【００３２】
図４は、ミニブログサーバ装置４に蓄積されるミニブログデータＭ１，Ｍ２の例を示す図である。図４（ａ）および図４（ｂ）に示すように、ミニブログデータＭ１，Ｍ２には、そのミニブログを投稿した投稿者の名称ｄ１、ミニブログの内容などが記述されたミニブログ本文ｄ２、およびそのミニブログが投稿された投稿時刻ｄ３の３つの属性情報が含まれている。
【００３３】
本実施形態では、ミニブログ取得部７１は、ミニブログサーバ装置４から、新たに蓄積されたミニブログを定期的に取得すべく、通信部５１を制御する。ミニブログサーバ装置４からミニブログを取得する周期は、たとえば３０秒に設定される。
【００３４】
キーワード管理部７２は、記憶部５４を制御することで、各放送局によって現在放送されているテレビ番組に関連したキーワードまたはそのテレビ番組を放送している放送局に関連したキーワードと、当該放送局との対応関係を示したテーブル（以下、「キーワードテーブル」と称する）８１を管理する。
【００３５】
図５は、サーバ装置５０の記憶部５４に格納されるキーワードテーブル８１の一例を示す図である。キーワードテーブル８１には、各放送局によって現在放送されているテレビ番組またはそのテレビ番組を放送している放送局に関連したキーワード８１ｂが格納されるとともに、キーワード８１ｂごとに、そのテレビ番組を放送している放送局に対して予め割り当てられている放送局ＩＤ８１ａが関連付けて格納される。
【００３６】
キーワードテーブル８１に格納されるキーワード８１ｂとしては、ミニブログ取得部７１によってミニブログサーバ装置４から取得されるミニブログデータが、ミニブログの投稿時に放送されていたテレビ番組に関する投稿であると判断することができるような単語が選択されるのが好ましい。このような単語としては、図５に示すように、たとえばテレビ番組の名称、そのテレビ番組の略称、およびそのテレビ番組を放送する放送局の名称などが挙げられる。
【００３７】
このキーワードテーブル８１に格納されるキーワード８１ｂは、たとえばサーバ装置５０を管理する管理者によって適宜選択され、操作部５２を介して選択されたキーワード８１ｂとともに放送局ＩＤ８１ａが入力されると、キーワード管理部７２は、入力されたキーワード８１ｂおよび放送局ＩＤ８１ａをキーワードテーブル８１に格納する。
【００３８】
なお、ミニブログ取得部７１によってミニブログサーバ装置４から取得されたミニブログデータの中から、後述するミニブログ抽出部７３によって、テレビ番組に関して投稿されたミニブログデータをできるだけ漏れなく抽出するためには、１つの放送局に関して複数のキーワード８１ｂを予め格納しておくことが好ましい。
【００３９】
ミニブログ抽出部７３は、キーワードテーブル８１に格納されているキーワード８１ｂを参照して、ミニブログ取得部７１によってミニブログサーバ装置４から取得されたミニブログデータの中から、ミニブログ本文ｄ２の中にキーワード８１ｂが含まれているミニブログデータを、テレビ番組に関して投稿されたものとして抽出する。
【００４０】
図４および図５に示す例の場合について説明すると、ミニブログ抽出部７３は、ミニブログデータＭ１については、ミニブログ本文ｄ２の中に、キーワードテーブル８１に格納されている「アフタヌーンニュース」というキーワード８１ｂが含まれていることから、テレビ番組に関して投稿されたものとして抽出する。一方、ミニブログデータＭ２については、ミニブログ本文ｄ２の中に、キーワードテーブル８１に格納されているいずれのキーワード８１ｂも含まれていないので、テレビ番組に関して投稿されたものではないと判断する。
【００４１】
ミニブログ抽出情報管理部７４は、ミニブログ抽出部７３によってミニブログデータが抽出されると、キーワードテーブル８１を参照して、そのミニブログデータのミニブログ本文ｄ２に含まれているキーワード８１ｂに関連付けられている放送局ＩＤ８１ａを取得するとともに、そのミニブログデータの投稿時刻ｄ３を取得し、これらを関連付けて、記憶部５４に格納されているミニブログ抽出情報テーブル８２に記録する。
【００４２】
図６は、サーバ装置５０の記憶部５４に格納されるミニブログ抽出情報テーブル８２の一例を示す図である。ミニブログ抽出情報テーブル８２には、図６に示すように、ミニブログ抽出部７３によって抽出されたミニブログデータごとに、放送局ＩＤ８２ａと投稿時刻８２ｂとが関連付けて格納される。
【００４３】
盛り上がり度集計部７５は、ミニブログ抽出情報テーブル８２を参照して、各放送局によって現在放送されているテレビ番組の盛り上がり度を、定期的に導出する。盛り上がり度を導出する周期は、たとえば１分に設定される。
【００４４】
本実施形態では、盛り上がり度集計部７５は、放送局ごとに、直前の予め定める期間の間に投稿されたミニブログの投稿数を盛り上がり度として導出し、盛り上がり度の上限値を１００に設定している。
【００４５】
たとえば、前記予め定める期間が１０分に設定されている場合、盛り上がり度の導出時点から過去１０分間の間に、放送局ＩＤが「１０１」の放送局によって放送されているテレビ番組について投稿されたミニブログの投稿数が６７件であった場合には、盛り上がり度は６７とされ、同期間の間に、放送局ＩＤが「１００」の放送局によって放送されているテレビ番組について投稿されたミニブログの投稿数が１３５件であった場合には、盛り上がり度は上限値の１００とされる。
【００４６】
盛り上がり度管理部７６は、盛り上がり度集計部７５によって盛り上がり度が導出されると、導出された盛り上がり度に放送局を関連付けて、記憶部５４に格納されている盛り上がり度テーブル８３に記録する。
【００４７】
図７は、サーバ装置５０の記憶部５４に格納される盛り上がり度テーブル８３の一例を示す図である。盛り上がり度テーブル８３には、図７に示すように、盛り上がり度集計部７５によって導出された盛り上がり度８３ｂに、対応する放送局の放送局ＩＤ８３ａが関連付けて格納される。この盛り上がり度テーブル８３は、盛り上がり度集計部７５によって盛り上がり度が導出される度に、盛り上がり度管理部７６によって更新される。
【００４８】
なお、本実施形態では、この盛り上がり度テーブル８３には、国内に存在する全ての放送局について、放送局ＩＤ８３ａと盛り上がり度８３ｂとが関連付けて格納される。
【００４９】
盛り上がり度送信部７７は、携帯端末装置１０から送信された、盛り上がり度のデータを要求する盛り上がり度要求信号を、通信ネットワーク３を介して通信部５１が受信すると、通信部５１を制御し、記憶部５４に格納されている盛り上がり度テーブル８３を含ん
だデータ信号を、盛り上がり度要求信号を送信してきた携帯端末装置１０に対して送信させる。
【００５０】
なお、盛り上がり度要求信号に、該信号を送信した携帯端末装置１０の存在している場所またはその場所が属する地域の情報が含まれる場合や、盛り上がり度を要求している放送局の放送局ＩＤが含まれる場合には、盛り上がり度送信部７７は、記憶部５４に格納されている盛り上がり度テーブル８３の中から、該携帯端末装置１０の属する地域で視聴可能な各放送局の盛り上がり度、または放送局ＩＤに関連付けられている盛り上がり度だけを抽出して、抽出した盛り上がり度のデータを含むデータ信号を、通信部５１を制御して、盛り上がり度要求信号を送信してきた携帯端末装置１０に送信させる。このように携帯端末装置１０が必要としている盛り上がり度のデータだけを含んだデータ信号を送信することによって、送信するデータ量を低減することができる。
【００５１】
図８は、サーバ装置５０において実行されるミニブログ抽出情報テーブル作成処理の処理手順を示すフローチャートである。ミニブログ取得部７１が通信部５１を制御することにより、ミニブログサーバ装置４から新たに蓄積されたミニブログデータが取得されると、処理が開始され、ステップａ１に進む。なお、前記のように、ミニブログ取得部７１によるミニブログデータの取得は、定期的に実行される。
【００５２】
ステップａ１で、ミニブログ抽出部７３は、ミニブログ取得部７１によって取得されたミニブログデータの中から判定対象とするミニブログデータを１つ取り出し、ステップａ２に進む。ステップａ２で、ミニブログ抽出部７３は、キーワードテーブル８１に格納されている１つのキーワード８１ｂを抽出して、ステップａ３に進む。
【００５３】
ステップａ３で、ミニブログ抽出部７３は、抽出したキーワード８１ｂが、判定対象のミニブログデータにおけるミニブログ本文ｄ２に含まれているか否かを判定し、含まれていない場合にはステップａ４に進み、含まれている場合にはステップａ５に進む。
【００５４】
ステップａ４で、ミニブログ抽出部７３は、キーワードテーブル８１に格納されている全てのキーワード８１ｂについて判定が終了したか否かを判定し、終了している場合にはステップａ６に進み、終了していない場合にはステップａ２に戻って、次のキーワード８１ｂがミニブログ抽出部７３によってキーワードテーブル８１から抽出される。
【００５５】
ステップａ５で、ミニブログ抽出情報管理部７４は、キーワードテーブル８１を参照して、ステップａ２で抽出されたキーワード８１ｂに関連付けられている放送局ＩＤ８１ａと、ステップａ３での判定対象のミニブログデータに含まれる投稿時刻ｄ３とを関連付けて、記憶部５４に格納されているミニブログ抽出情報テーブル８２に記録し、ステップａ６に進む。
【００５６】
ステップａ６で、ミニブログ抽出部７３は、ミニブログ取得部７１によって取得された全てのミニブログデータについて判定が終了したか否かを判定し、終了していない場合にはステップａ１に戻って、次のミニブログデータがミニブログ抽出部７３によって取り出され、終了している場合には処理を終了する。
【００５７】
図９は、サーバ装置５０において実行される盛り上がり度導出処理の処理手順を示すフローチャートである。処理が開始すると、ステップｂ１で、盛り上がり度集計部７５は、盛り上がり度を導出すべきか否かを判定し、導出すべきであると判定するとステップｂ２に進む。前述のように、盛り上がり度の導出は定期的に行われるので、このステップｂ１では、前回盛り上がり度の導出を行った時点から予め設定された期間が経過した場合に、盛り上がり度集計部７５は、盛り上がり度を導出すべきであると判定する。
【００５８】
ステップｂ２で、盛り上がり度集計部７５は、全ての放送局について、放送局ごとにカウント数が記述されるカウントテーブルを初期化し、すなわち全ての放送局についてのカウント数を０とし、ステップｂ３に進む。ステップｂ３で、盛り上がり度集計部７５は、サーバ装置５０に搭載されているタイマ（図示せず）から現在時刻を取得し、ステップｂ４に進む。
【００５９】
ステップｂ４で、盛り上がり度集計部７５は、記憶部５４に格納されているミニブログ抽出情報テーブル８２を参照し、投稿時刻８２ｂが、ステップｂ３で取得した現在時刻から過去１０分間の間に含まれているレコードを抽出し、ステップｂ５に進む。
【００６０】
ステップｂ５で、盛り上がり度集計部７５は、ステップｂ４で抽出されたレコードの中から、未だカウントの対象とされていないレコードを取り出し、ステップｂ６に進む。ステップｂ６で、盛り上がり度集計部７５は、カウントテーブルにおいて、取り出したレコードにおける放送局ＩＤ８２ａに対応するカウント数をインクリメントして、ステップｂ７に進む。
【００６１】
ステップｂ７で、盛り上がり度集計部７５は、ステップｂ４で抽出された全てのレコードについて判定が終了したか否かを判定し、終了している場合にはステップｂ８に進み、終了していない場合にはステップｂ５に戻って、次のレコードが盛り上がり度集計部７５によって取り出される。
【００６２】
ステップｂ８で、盛り上がり度集計部７５は、カウントテーブルに記述されているカウント数に基づいて、各放送局について盛り上がり度を導出して、ステップｂ９に進む。ステップｂ９で、盛り上がり度管理部７６は、導出された盛り上がり度と放送局ＩＤとを関連付けて、記憶部５４に格納されている盛り上がり度テーブル８３に記録し、ステップｂ１に戻る。
【００６３】
この盛り上がり度導出処理によって、記憶部５４に格納されている盛り上がり度テーブル８３が、予め設定された期間ごとに更新される。そして、携帯端末装置１０から送信された盛り上がり度要求信号を通信部５１が受信すると、盛り上がり度送信部７７は、その盛り上がり度要求信号を受信した時点の盛り上がり度テーブル８３を参照し、通信部５１を制御して、盛り上がり度のデータを含んだデータ信号を、該携帯端末装置１０へ送信させる。
【００６４】
次に、携帯端末装置１０の構成について説明する。図１０は、本発明の一実施形態に係る携帯端末装置１０の外観を示す平面図である。
【００６５】
本実施形態では、遠隔操作装置として、ＴＶ受像機２を遠隔操作する機能が搭載された携帯電話装置を例に挙げて説明する。しかしながら、本発明の適用対象は、このような携帯電話装置に限定されるものではなく、たとえば、ＴＶ受像機２に付属する専用の遠隔操作装置（以下、「リモコン」と略記する）に対しても適用可能であり、また、ＴＶ受像機２を遠隔操作する機能が搭載されたＰＨＳ（Personal Handy-phone System）およびＰＤ
Ａ（Personal Digital Assistant）などに対しても本発明は適用可能である。
【００６６】
ここで、ＴＶ受像機２を遠隔操作する機能としては、少なくともＴＶ受像機２において選局される放送局を切り替える選局機能が含まれているものとし、選局機能の他にも、非稼動状態のＴＶ受像機２に電源を供給し、または稼動状態のＴＶ受像機２への電源の供給を遮断する電源ＯＮ／ＯＦＦ機能や、ＴＶ受像機２から出力される音の音量を低減または増大させる音量変更機能などがさらに含まれていてもよい。
【００６７】
本実施形態に係る携帯端末装置１０は、いわゆるスマートフォンとして構成された携帯電話装置であり、図１０に示すように、一方の主面部である正面部には、画像が表示される表示面２１ａが設けられるとともに、それぞれ所定の機能が割り当てられた３つの操作キー１１ａが設けられている。
【００６８】
図１１は、本発明の一実施形態に係る携帯端末装置１０の概略的な構成を示すブロック図である。図１１に示すように、携帯端末装置１０は、キー操作部１１と、タッチパネル１２と、振動部１３と、第１無線通信部１４と、第２無線通信部１５と、マイクロホン１６と、スピーカ１７と、音声処理部１８と、記憶部１９と、制御部２０とを含んで構成される。
【００６９】
キー操作部１１は、携帯端末装置１０の正面部に設けられる３つの操作キー１１ａの他、携帯端末装置１０の側面部に設けられる図示しない操作キーを有し、ユーザによって任意の操作キーが押圧操作されると、当該操作キーが操作されたことを示す信号を、制御部２０へ与える。
【００７０】
タッチパネル１２は、表示面２１ａを有し、表示面２１ａに画像を表示可能に構成される表示部２１と、表示部２１に重畳されたタッチセンサ２２とを有する。
【００７１】
表示部２１は、たとえば液晶ディスプレイまたは有機ＥＬ（Electro-Luminescence）ディスプレイなどの周知の薄型表示装置を備え、制御部２０から与えられる画像データに応じた画像を表示面２１ａに表示させる。
【００７２】
タッチセンサ２２は、ユーザにより指やスタイラスなどを用いて、表示部２１の表示面２１ａに対して行われた各種のタッチ操作を、タッチ操作が行われた表示面２１ａ上での位置とともに検出する座標入力装置である。タッチセンサ２２によって検出されるタッチ操作には、たとえばタップ操作、フリック操作、ドラッグ操作、ピンチイン操作およびピンチアウト操作などが含まれる。タッチセンサ２２による検出結果は、制御部２０へ与えられる。
【００７３】
振動部１３は、携帯端末装置１０を振動させるための振動モータ１３ａを含んで構成される。振動部１３は、制御部２０から与えられる振動指令信号に応答して振動モータ１３ａが駆動することによって、携帯端末装置１０を振動させる。
【００７４】
たとえば、電話または電子メールの着信時に、着信があったことを振動（バイブレーション）によってユーザに通知するように設定されている場合には、電話または電子メールの着信に応答して、制御部２０により、予め設定された振動パターンで携帯端末装置１０を振動させるための振動指令信号が生成されて、振動部１３へ与えられる。
【００７５】
振動部１３では、制御部２０から与えられる振動制御信号に応答して振動モータ１３ａが駆動し、これにより、携帯端末装置１０が電話または電子メールの着信に応じた振動パターンで振動する。ユーザは、携帯端末装置１０の振動を感知することで、電話または電子メールの着信があったことを知ることができる。
【００７６】
第１無線通信部１４は、ＴＶ受像機２と近距離無線通信によって通信を行うための通信インターフェイスとして機能する。第１無線通信部１４とＴＶ受像機２との通信の形態は、赤外線を用いた通信であってもよく、ＩＥＥＥ８０２．１１、Ｂｌｕｅｔｏｏｔｈ（登録商標）およびＺｉｇｂｅｅ（登録商標）などの無線通信規格に基づく電波を用いた通信であってもよい。
【００７７】
この第１無線通信部１４は、具体的には、ＴＶ受像機２を遠隔操作するための各種のコマンドデータを、近距離無線通信によって外部へ送信する機能を有する。以下、第１無線通信部１４によって送信される無線信号であって、このコマンドデータを含む無線信号を、「コマンド信号」と称する。
【００７８】
各種のコマンドデータとしては、たとえば「出力音量を一段階上げる」、「電源を投入／遮断する」、「チャンネルを切り替える」などといったものが含まれ、これらのコマンドデータは、詳細には後述するが、ユーザによる表示面２１ａへのタップ操作に応答して制御部２０によって生成されて、第１無線通信部１４に与えられる。
【００７９】
第１無線通信部１４は、制御部２０から前記のようなコマンドデータが与えられると、コマンド信号を生成して所定の通信形態で外部へ送信する。本実施形態では、第１無線通信部１４は、生成したコマンド信号を、赤外線信号によって外部へ送信するように構成されている。
【００８０】
また、第１無線通信部１４は、ＴＶ受像機２から近距離無線通信によって送信される無線信号を受信する機能も有する。本実施形態における遠隔操作対象のＴＶ受像機２は、携帯端末装置１０から送信された放送局を切り替えるためのコマンド信号（以下、「選局信号」と称する）を、図示しない赤外線受信部によって受信すると、その選局信号に応答して放送局を切り替えるとともに、選局信号を適正に受信したことを通知するためのリターン信号を生成して、近距離無線通信によって外部へ送信するように構成されているものとし、第１無線通信部１４は、ＴＶ受像機２から送信されるこのリターン信号を受信する機能を有する。
【００８１】
なお、本実施形態では、このリターン信号には、選局信号に応答して切替えられた後の放送局を示すデータが含まれているものとし、また、ＴＶ受像機２は、このリターン信号を、ＩＥＥＥ８０２．１１などの無線通信規格に基づく電波を用いて、外部へ送信するように構成されているものとする。
【００８２】
前記のように、本実施形態では、携帯端末装置１０は、チャンネル切替信号を、赤外線信号によって外部へ送信するように構成されている。赤外線信号は、指向性が強いため、複数のＴＶ受像機２が設置されているような環境であっても、遠隔操作対象のＴＶ受像機２に向けて赤外線信号を送信することで、そのＴＶ受像機２だけを遠隔操作することができるという利点がある。一方、赤外線信号が遠隔操作対象のＴＶ受像機２からずれた方向に向けて送信されると、当該赤外線信号がＴＶ受像機２によって適正に受信されないことがある。
【００８３】
そこで、本実施形態では、携帯端末装置１０から送信された選局信号が遠隔操作対象のＴＶ受像機２において適正に受信されたことを、当該携帯端末装置１０において把握するために、前記のように、ＴＶ受像機２が選局信号を適正に受信すると、リターン信号を外部へ送信するように構成されている。
【００８４】
第２無線通信部１５は、通信用アンテナおよび通信制御部を備え、移動体通信のセルラーネットワークの基地局との間でＣＤＭＡ（Code Division Multiple Access）等の方式
による無線信号回線を確立し、基地局との間で電話通信およびデータ通信を行う。すなわち、この第２無線通信部１５は、通信ネットワーク３を介して、サーバ装置５０と通信を行うための通信インターフェイスとして機能する。
【００８５】
たとえば、携帯端末装置１０が音声通話用に使用される場合には、マイクロホン１６か
ら入力された音声は、音声処理部１８によってデジタル信号に変換され、該デジタル信号が第２無線通信部１５の通信制御部を経て、通信用アンテナから電波信号として公衆ネットワークに送信される。逆に、音声通話の相手先から電波信号として公衆ネットワークに送信された音声データは、第２無線通信部１５の通信用アンテナで受信され、通信制御部を経ることによりデジタル信号に変換され、該デジタル信号は音声処理部１８でアナログ電気信号に変換され、最終的にスピーカ１７から音声として出力される。
【００８６】
記憶部１９は、制御部５５での処理に利用されるソフトウェアやデータを保存する記憶装置であり、サーバ装置５０に電源が供給されている間のみデータ保持が可能なＳＲＡＭおよびＤＲＡＭや、サーバ装置５０への電源供給が遮断された状態でも記録したデータを保持し続けることが可能なフラッシュメモリおよびＥＥＰＲＯＭなどによって実現される。
【００８７】
記憶部１９は、具体的には、メールアプリケーション（電子メール機能）を実現するためのメールプログラム３１、ブラウザアプリケーション（ＷＥＢブラウジング機能）を実現するためのブラウザプログラム３２、電話帳アプリケーション（電話帳機能）を実現するための電話帳プログラム３３、およびリモコンアプリケーション（遠隔操作機能）を実現するためのリモコンプログラム３４などを記憶している。
【００８８】
また、記憶部１９には、携帯端末装置１０の基本的な機能を実現するオペレーティングシステムプログラムのほか、リモコンプログラム３４を実行する際に用いられるデータおよび各種処理条件などを含む処理条件データ３５、および電話帳データ３６なども記憶されている。この処理条件データ３５には、後述するリモコンキーテーブル４７、盛り上がり度テーブル４８および振動パターンテーブル４９などが含まれる。
【００８９】
制御部２０は、携帯端末装置１０の全体的な動作を統括的に制御する処理部であり、たとえばＣＰＵによって実現される。制御部２０は、携帯端末装置１０において行われる各種の処理が、キー操作部１１に対する押圧操作または表示面２１ａに対するタッチ操作、ならびに携帯端末装置１０の記憶部１９に記憶される各種のプログラムに応じて適切に実行されるように、振動部１３、第１無線通信部１４、第２無線通信部１５、音声処理部１８、記憶部１９および表示部２１を制御する。
【００９０】
図１２は、本発明の一実施形態に係る携帯端末装置１０において、制御部２０がリモコンプログラム３４を実行することによって実現される各種の機能を示す機能ブロック図である。
【００９１】
制御部２０は、記憶部１９に記憶されるリモコンプログラム３４を実行することによって、放送局割り当て管理部４０、リモコン画面生成部４１、盛り上がり度取得部４２、盛り上がり度管理部４３、遠隔操作制御部４４、振動判定部４５、振動制御部４６として機能する。リモコンプログラム３４は、携帯端末装置１０のホーム画面に表示されるリモコンアプリケーションのアイコンが、ユーザによってタップ操作されることによって実行される。
【００９２】
放送局割り当て管理部４０は、記憶部１９を制御することで、携帯端末装置１０が存在している場所において選局可能な放送局と、リモコンキーＩＤとの対応関係を示したテーブル（以下、「リモコンキーテーブル」と称する）４７を管理する。
【００９３】
図１３は、携帯端末装置１０の記憶部１９に格納されるリモコンキーテーブル４７の一例を示す図である。リモコンキーテーブル４７には、１〜１２のチャンネル番号から成るリモコンキーＩＤ４７ａに、携帯端末装置１０が存在している場所において選局可能な放
送局の放送局ＩＤ４７ｂが関連付けて格納される。
【００９４】
放送局割り当て管理部４０は、たとえばリモコンプログラム３４を実行時に、ユーザによって設定された地域に基づいて、リモコンキーテーブル４７を作成して、記憶部１９へ格納してもよく、携帯端末装置１０の現在位置を示すＧＰＳ（Global Positioning System）情報を取得可能な場合には、取得されたＧＰＳ情報に基づいて、リモコンキーテーブ
ル４７を作成して、記憶部１９へ格納してもよい。
【００９５】
リモコン画面生成部４１は、リモコンプログラム３４を実行に伴って、記憶部１９に格納されるリモコンキーテーブル４７を参照して、リモコン画面９０の画像データを生成し、生成した画像データを表示部２１へ出力する。表示部２１では、リモコン画面生成部４１から画像データが入力されると、表示面２１ａにリモコン画面９０を表示させる。
【００９６】
図１４は、リモコンプログラム３４の実行に伴って表示面２１ａに表示されるリモコン画面９０の一例を示す図である。図１４に示すように、リモコン画面９０には、１〜１２のチャンネル番号ごとに、画面の縦方向および横方向に沿ってマトリクス状に配置された１２個のチャンネルアイコン９１、チャンネルアップアイコン９２、チャンネルダウンアイコン９３、電源アイコン９４、音量アップアイコン９５、音量ダウンアイコン９６、ミュートアイコン９７が表示されている。
【００９７】
また、表示部２１の表示面２１ａに、このリモコン画面９０が表示されている状態では、各アイコン９１〜９７を包含する所定の領域に対して、タッチエリア９１ｔ〜９７ｔが設定されており、ユーザによって、このタッチエリア９１ｔ〜９７ｔに対してタップ操作が行われると、ＴＶ受像機２を遠隔操作するためのコマンド信号が第１無線通信部１４から送信される。
【００９８】
盛り上がり度取得部４２は、第２無線通信部１５を制御し、通信ネットワーク３を介して、サーバ装置５０から盛り上がり度のデータを定期的に取得する。具体的には、盛り上がり度取得部４２は、盛り上がり度のデータを要求する盛り上がり度要求信号を、第２無線通信部１５に送信させる。そして、この盛り上がり度要求信号に応答してサーバ装置５０から送信されたデータ信号を第２無線通信部１５が受信することにより、盛り上がり度取得部４２は、盛り上がり度のデータを取得する。
【００９９】
本実施形態では、盛り上がり度取得部４２は、サーバ装置５０から、盛り上がり度のデータを定期的に取得すべく、第２無線通信部１５を制御する。サーバ装置５０から盛り上がり度のデータを取得する周期は、たとえば１分に設定される。
【０１００】
また本実施形態では、盛り上がり度取得部４２は、記憶部１９に格納されているリモコンキーテーブル４７を参照し、リモコンキーテーブル４７に記憶されている放送局ＩＤ４７ｂのデータを含んだ盛り上がり度要求信号を、サーバ装置５０に送信するように構成されている。これにより、サーバ装置５０からは、リモコンキーテーブル４７に記憶されている放送局ＩＤ４７ｂの放送局に関する盛り上がり度のデータだけが、データ信号として送信されてくる。
【０１０１】
盛り上がり度管理部４３は、盛り上がり度取得部４２によって盛り上がり度のデータが取得されると、携帯端末装置１０に搭載されているタイマ（図示せず）から現在時刻を取得し、データ信号に含まれる各盛り上がり度に、放送局ＩＤを関連付けて、タイマから取得した現在時刻とともに、記憶部１９に格納されている盛り上がり度テーブル４８に記録する。
【０１０２】
図１５は、携帯端末装置１０の記憶部１９に格納される盛り上がり度テーブル４８の一例を示す図である。盛り上がり度テーブル４８には、図７に示すように、データ信号に含まれる盛り上がり度４８ｂに、対応する放送局の放送局ＩＤ４８ａが関連付けられ、盛り上がり度のデータを取得した時刻４８ｃとともに格納される。この盛り上がり度テーブル４８は、盛り上がり度取得部４２によって盛り上がり度のデータが取得される度に、盛り上がり度管理部４３によって更新される。
【０１０３】
遠隔操作制御部４４は、表示部２１の表示面２１ａにリモコン画面９０が表示されると、タッチセンサ２２から制御部２０へ与えられる検出結果を監視し、タップ操作されたタッチエリア９１ｔ〜９７ｔに対応した処理を実行する。
【０１０４】
具体的には、遠隔操作制御部４４は、電源アイコン９４を包含するタッチエリア９４ｔに対してタップ操作されると、ＴＶ受像機２への電源の供給をＯＮまたはＯＦＦにするためのコマンドデータを生成し、音量アップアイコン９５を包含するタッチエリア９５ｔに対してタップ操作されると、ＴＶ受像機２から出力される音の音量を１段階上げるためのコマンドデータを生成する。また音量ダウンアイコン９６を包含するタッチエリア９６ｔに対してタップ操作されると、ＴＶ受像機２から出力される音の音量を１段階下げるためのコマンドデータを生成し、ミュートアイコン９７を包含するタッチエリア９７ｔに対してタップ操作されると、ＴＶ受像機２からの音の出力を停止または再開させるためのコマンドデータを生成する。そして、遠隔操作制御部４４は、生成したコマンドデータを、第１無線通信部１４に与える。第１無線通信部１４では、該コマンドデータが与えられると、コマンド信号を生成して外部へ出力する。
【０１０５】
同様に、遠隔操作制御部４４は、チャンネルアイコン９１を包含するタッチエリア９１ｔに対してタップ操作されると、タップ操作されたチャンネルアイコン９１に対応するチャンネル番号の放送局に切り替えるためのコマンドデータを生成する。またチャンネルアップアイコン９２を包含するタッチエリア９２ｔに対してタップ操作されると、ＴＶ受像機２において現在選局されている放送局のチャンネル番号よりも１大きなチャンネル番号の放送局に切り替えるためのコマンドデータを生成し、チャンネルダウンアイコン９３を包含するタッチエリア９３ｔに対してタップ操作されると、ＴＶ受像機２において現在選局されている放送局のチャンネル番号よりも１小さなチャンネル番号の放送局に切り替えるためのコマンドデータを生成する。そして、遠隔操作制御部４４は、生成したコマンドデータを、第１無線通信部１４に与える。第１無線通信部１４では、該コマンドデータが与えられると、選局信号を生成して外部へ出力する。
【０１０６】
また遠隔操作制御部４４は、第１無線通信部１４から送信された選局信号に応答してＴＶ受像機２から送信されたリターン信号を第１無線通信部１４が受信すると、そのリターン信号に含まれる、切替え後の放送局のチャンネル番号を取得し、取得したチャンネル番号を振動判定部４５に与える。
【０１０７】
振動判定部４５は、遠隔操作制御部４４からチャンネル番号が与えられると、記憶部１９に格納されているリモコンキーテーブル４７、盛り上がり度テーブル４８および振動パターンテーブル４９を参照し、携帯端末装置１０を振動させるか否かを判定するとともに、振動させる場合には、その振動パターンを判定する。
【０１０８】
図１６は、携帯端末装置１０の記憶部１９に格納される振動パターンテーブル４９の一例を示す図である。振動パターンテーブル４９には、１００を上限値とする盛り上がり度４９ａの数値範囲に応じて、携帯端末装置１０を振動させるときの振動パターン４９ｂが設定されている。この振動パターンテーブル４９は、リモコンプログラム３４に予め組み込まれており、リモコンプログラム３４を実行することによって、記憶部１９に格納され
る。
【０１０９】
この振動パターンテーブル４９は、ユーザによって編集できないようにされていてもよく、リモコンプログラム３４の実行時に、ユーザによって、数値範囲の設定や振動パターンの設定を変更できるようにされていてもよい。
【０１１０】
振動判定部４５は、具体的には、遠隔操作制御部４４からチャンネル番号が与えられると、リモコンキーテーブル４７を参照して、与えられたチャンネル番号のリモコンキーＩＤ４７ａに関連付けられている放送局ＩＤ４７ｂを特定するとともに、盛り上がり度テーブル４８を参照して、特定した放送局ＩＤ４８ａに関連付けられている盛り上がり度４８ｂを特定する。そして、振動パターンテーブル４９を参照して、特定した盛り上がり度４８ｂが属する数値範囲に関連付けられている振動パターン４９ｂを特定する。
【０１１１】
図１３、図１５および図１６に示す例の場合について説明すると、遠隔操作制御部４４からチャンネル番号「４」が与えられた場合には、盛り上がり度４８ｂが「２０」であるので、振動判定部４５は、携帯端末装置１０を振動させないと判定する。また、遠隔操作制御部４４からチャンネル番号「２」が与えられた場合には、盛り上がり度４８ｂが「６７」であるので、振動判定部４５は、携帯端末装置１０を「１回振動」の振動パターンで振動させると判定し、遠隔操作制御部４４からチャンネル番号「１」が与えられた場合には、盛り上がり度４８ｂが「１００」であるので、振動判定部４５は、携帯端末装置１０を「３回振動」の振動パターンで振動させると判定する。このように判定が行われると、振動判定部４５は、この判定結果を振動制御部４６へ与える。
【０１１２】
振動制御部４６は、振動判定部４５から判定結果が与えられると、その判定結果に応じた振動パターンで携帯端末装置１０を振動させるための振動指令信号を生成し、振動部１３へ与える。振動部１３では、制御部２０から振動制御信号が与えられると、その振動制御信号に応答して振動モータ１３ａが駆動し、これにより、携帯端末装置１０は、判定結果に応じた振動パターンで振動する。
【０１１３】
図１７は、携帯端末装置１０においてリモコンプログラム３４の実行中に行われる盛り上がり度テーブル更新処理の処理手順を示すフローチャートである。携帯端末装置１０のホーム画面に表示されるリモコンアプリケーションのアイコンが、ユーザによってタップ操作されることによって、リモコンプログラム３４が実行されると、処理が開始されてステップｍ１に進む。
【０１１４】
ステップｍ１で、盛り上がり度取得部４２は、記憶部１９に格納されているリモコンキーテーブル４７を参照し、リモコンキーＩＤ４７ａに割り当てられている放送局の放送局ＩＤ４７ｂを取得して、ステップｍ２に進む。
【０１１５】
ステップｍ２で、盛り上がり度取得部４２は、第２無線通信部１５を制御し、ステップｍ１で取得した放送局ＩＤ４７ｂの放送局に関する盛り上がり度のデータを要求する盛り上がり度要求信号を送信させ、ステップｍ３に進む。
【０１１６】
ステップｍ３で、盛り上がり度取得部４２は、盛り上がり度要求信号を送信してから所定の時間内にデータ信号を受信したか否かを判定する。通信異常などの原因により所定の時間内にデータ信号が受信されない場合にはステップｍ２に戻り、第２無線通信部１５を制御して、再度盛り上がり度要求信号を送信させる。一方、データ信号を受信した場合にはステップｍ４に進む。
【０１１７】
ステップｍ４で、盛り上がり度管理部４３は、携帯端末装置１０に搭載されているタイ
マから現在時刻を取得し、データ信号に含まれる各盛り上がり度に、放送局ＩＤを関連付けて、タイマから取得した時刻とともに、記憶部１９に格納されている盛り上がり度テーブル４８に記録し、ステップｍ５に進む。
【０１１８】
ステップｍ５で、盛り上がり度取得部４２は、前回の盛り上がり度要求信号の送信時刻から予め設定された時間が経過したか否かを判定し、経過したと判定した場合には、ステップｍ２に戻り、経過したと判定されるまでこのステップｍ２の処理を繰返す。この盛り上がり度テーブル更新処理は、リモコンプログラム３４が終了するまで継続して実行される。
【０１１９】
本実施形態では、上記のように、盛り上がり度テーブル４８の更新が定期的に行われるように構成されているが、他の実施形態では、表示部２１の表示面２１ａに対して一定の期間タッチ操作が行われなかった場合には、盛り上がり度テーブル４８の更新を一時的に停止し、表示面２１ａに対するタッチ操作に応答して、盛り上がり度テーブル４８の更新を再開するように構成されてもよい。さらに他の実施形態では、表示部２１の表示面２１ａに対して一定の期間タッチ操作が行われなかった場合には、ステップｍ５の判定に用いられる設定時間を一時的に長くすることにより、盛り上がり度テーブル４８の更新の頻度を低減するように構成されてもよい。このような他の実施形態によれば、携帯端末装置１０における電力の消耗を可及的に抑制することができる。
【０１２０】
図１８は、携帯端末装置１０においてリモコンプログラム３４の実行中に行われる盛り上がり通知処理の処理手順を示すフローチャートである。リモコンプログラム３４が実行され、表示部２１の表示面２１ａにリモコン画面９０が表示されると処理が開始されてステップｎ１に進む。
【０１２１】
ステップｎ１で、遠隔操作制御部４４は、タッチセンサ２２から制御部２０へ与えられる検出結果を監視し、リモコン画面９０に表示される各アイコン９１〜９７のタッチエリア９１ｔ〜９７ｔに対してタップ操作が行われたか否かを判定し、タップ操作が行われたと判定すると、ステップｎ２に進み、タップ操作が行われたと判定されるまでこのステップｎ１の処理を繰返す。
【０１２２】
ステップｎ２で、遠隔操作制御部４４は、当該タップ操作が、放送局を切り替えるためのタップ操作（以下、「選局操作」と称する）であるか否かを判定する。すなわち、タッチエリア９４ｔ〜９７ｔのいずれかに対してタップ操作が行われた場合には、選局操作ではないと判定し、ステップｎ３に進み、タッチエリア９１ｔ〜９３ｔのいずれかに対してタップ操作が行われた場合には、選局操作であると判定し、ステップｎ４に進む。
【０１２３】
ステップｎ３で、遠隔操作制御部４４は、タップ操作されたタッチエリアに対応したコマンドデータを生成し、生成したコマンドデータを、第１無線通信部１４に与えて、ステップｎ１に戻る。これにより、第１無線通信部１４は、コマンド信号を生成して外部へ出力し、ＴＶ受像機２では、コマンド信号を受信すると、コマンドデータに対応した処理、具体的には、電源のＯＮまたはＯＦＦ、音量の増大または低減、ミュートのＯＮまたはＯＦＦといった処理が実行される。
【０１２４】
ステップｎ４で、遠隔操作制御部４４は、第１無線通信部１４を制御し、タップ操作されたタッチエリアに対応した選局信号を送信させて、ステップｎ５に進む。これにより、ＴＶ受像機２で選局信号が適正に受信された場合には、選局信号に応じて放送局が切替えられ、ＴＶ受像機２には、切替え後の放送局によって現在放送されているテレビ番組が表示される。
【０１２５】
ステップｎ５で、遠隔操作制御部４４は、第１無線通信部１４が所定の時間内にリターン信号を受信したか否かを判定し、リターン信号を受信しない場合にはステップｎ１に戻り、リターン信号を受信した場合にはステップｎ６に進む。
【０１２６】
ステップｎ６で、遠隔操作制御部４４は、第１無線通信部１４が受信したリターン信号を解析し、切替え後の放送局のチャンネル番号を取得して、取得したチャンネル番号を振動判定部４５に与え、ステップｎ７に進む。
【０１２７】
ステップｎ７で、振動判定部４５は、記憶部１９に格納されているリモコンキーテーブル４７を参照し、遠隔操作制御部４４から与えられたチャンネル番号のリモコンキーＩＤ４７ａに対して、放送局ＩＤ４７ｂが割り当てられているか否かを判定し、割り当てられていない場合にはステップｎ１に戻り、割り当てられている場合には、ステップｎ８に進む。
【０１２８】
ステップｎ８で、振動判定部４５は、記憶部１９に格納されている盛り上がり度テーブル４８を参照し、遠隔操作制御部４４から与えられたチャンネル番号の放送局ＩＤ４８ａに関連付けられている盛り上がり度４８ｂを取得し、ステップｎ９に進む。
【０１２９】
ステップｎ９で、振動判定部４５は、ステップｎ８で取得された盛り上がり度４８ｂが有効なデータであるか否かを判定する。具体的には、盛り上がり度テーブル４８を参照して、その盛り上がり度４８ｂが取得された時刻４８ｃと、タイマから取得される現在時刻との時間間隔が、予め設定された時間よりも大きい場合には、その盛り上がり度４８ｂのデータは有効でないとしてステップｎ１に戻り、前記時間間隔が、予め設定された時間内である場合には、その盛り上がり度４８ｂのデータは有効であるとして、ステップｎ１０に進む。ここで、データの有効・無効の判定に用いられる時間は、たとえば５分に設定される。
【０１３０】
ステップｎ１０で、振動判定部４５は、記憶部１９に格納されている振動パターンテーブル４９を参照し、ステップｎ８で取得した盛り上がり度４８ｂに基づいて、携帯端末装置１０を振動させるべきか否かを判定し、振動させる必要がない場合にはステップｎ１に戻り、振動させる必要がある場合にはステップｎ１１に進む。
【０１３１】
ステップｎ１１で、振動判定部４５は、記憶部１９に格納されている振動パターンテーブル４９を参照し、ステップｎ８で取得した盛り上がり度４８ｂが属する数値範囲に関連付けられている振動パターン４９ｂを特定し、ステップｎ１２に進む。
【０１３２】
ステップｎ１２で、振動制御部４６は、振動判定部４５によって振動パターン４９ｂが特定されると、その振動パターン４９ｂで携帯端末装置１０を振動させるための振動指令信号を生成し、振動部１３へ与えて、ステップｎ１に戻る。
【０１３３】
これにより、振動部１３では、その振動制御信号に応答して振動モータ１３ａが駆動し、携帯端末装置１０が振動する。したがって、ユーザは、携帯端末装置１０の振動パターンを感知することで、選局した放送局によって現在放送されているテレビ番組の盛り上がりの度合いを把握することができる。
【０１３４】
以上のように、本実施形態によれば、ユーザは、選局可能な各放送局によって現在放送されている各テレビ番組の中から１つのテレビ番組を選択して視聴しようとする場合に、携帯端末装置１０によって実現される遠隔操作装置を操作して放送局を切替えると、その遠隔操作装置を介して、選択されたテレビ番組の盛り上がりの度合いが通知される。したがって、ユーザは、複数のテレビ番組の中から１つのテレビ番組を選択して視聴しようと
する場合に、盛り上がっているテレビ番組を簡単に選択することができる。
【０１３５】
また、ユーザによる選局操作に応答して遠隔操作装置を介して盛り上がりの度合いが通知されるので、従来技術のように、ユーザが選局操作をしていないとき、換言すればＴＶ受像機２に表示されるテレビ番組を集中して視聴しているときに、突然、盛り上がり番組の存在を示すＧＵＩ画面が表示されることを回避し、テレビ番組の視聴を妨げてしまうことを防止することができる。
【０１３６】
上記の実施形態では、盛上りの度合いを、携帯端末装置１０が振動する回数によって通知するように構成されているが、振動部１３が振動の強弱を制御可能な構成である場合には、振動の強弱によって、盛上りの度合いを通知するように構成することもできる。
【０１３７】
また、上記の実施形態では、携帯端末装置１０の振動を介して、盛上りの度合いをユーザに通知するように構成されているが、他の実施形態では、携帯端末装置１０から出力されるビープ音の回数や音量によって盛上りの度合いを通知するように構成されてもよく、さらに他の実施形態では、携帯端末装置１０から発せられる光の色や点滅回数によって盛上りの度合いを通知するように構成されてもよく、さらに他の実施形態では、これらを組み合わせてもよい。
【０１３８】
また、上記の実施形態では、ミニブログの投稿数をそのまま盛り上がり度としているが、他の実施形態では、たとえば、各放送局の投稿数を、最もミニブログが投稿されているテレビ番組（放送局）の投稿数で除することにより正規化した値を盛り上がり度としてもよく、あるいは、各放送局の投稿数を、テレビ番組に関するミニブログの全投稿数で除した値を盛り上がり度としてもよい。
【０１３９】
また、上記の実施形態では、ミニブログの投稿数を利用して盛り上がり度を導出しているが、他の実施形態として、各放送局によって現在放送されているテレビ番組の毎分の視聴率を調査して蓄積しておくようなサーバ装置が存在する場合には、該サーバ装置から毎分の視聴率を取得して、盛り上がり度としてもよい。
【０１４０】
また、上記の実施形態では、ＴＶ受像機２からリターン信号を受け取った場合にのみ、振動によって盛上りの度合いを通知するように構成されているが、ＴＶ受像機２にはリターン信号を送信するように構成されていない装置もあるので、他の実施形態としては、ユーザによって選局操作が行われると、選局信号を送信するとともに、選局操作によって選局された放送局の盛り上がり度に応じて、携帯端末装置１０を振動させるように構成してもよい。
【０１４１】
以下、本発明の他の実施形態に係る携帯端末装置１０Ａおよびサーバ装置５０Ａによって構成される情報通信システムについて、図１９および図２０を参照して説明する。
【０１４２】
図１９は、本発明の他の実施形態に係るサーバ装置５０Ａにおいて、制御部５５が盛り上がり度導出プログラム６１を実行することによって実現される各種の機能を示す機能ブロック図である。なお、本実施形態に係るサーバ装置５０Ａにおいて実現される各種の機能は、前述の実施形態に係るサーバ装置５０において実現される各種の機能と一部において異なるだけであり、同一の構成については同一の参照符を付して説明を省略する。
【０１４３】
本実施形態では、制御部５５は、記憶部５４に記憶される盛り上がり度導出プログラム６１を実行することによって、ミニブログ取得部７１、キーワード管理部７２、ミニブログ抽出部７３、ミニブログ抽出情報管理部７４、盛り上がり度集計部７５、盛り上がり度管理部７６、振動種別判定部７８、および振動種別送信部７９として機能する。
【０１４４】
また、記憶部５４には、キーワードテーブル８１、ミニブログ抽出情報テーブル８２、および盛り上がり度テーブル８３のほか、振動パターンテーブル８４が格納される。この振動パターンテーブル８４は、上述の実施形態において、携帯端末装置１０の記憶部１９に格納される振動パターンテーブル４９と同一であるため説明を省略する。
【０１４５】
振動種別送信部７９は、携帯端末装置１０Ａから送信された、振動種別を要求する振動種別要求信号を、通信ネットワーク３を介して通信部５１が受信すると、受信した振動種別要求信号を解析する。
【０１４６】
なお、この振動種別要求信号には、前述の実施形態における盛り上がり度要求信号と同様に、当該携帯端末装置１０Ａがデータを要求している放送局の放送局ＩＤが含まれているものとする。そして、振動種別送信部７９は、振動種別要求信号に含まれる放送局ＩＤを取得し、取得した放送局ＩＤを振動種別判定部７８に与える。
【０１４７】
振動種別判定部７８では、振動種別送信部７９から放送局ＩＤを取得すると、記憶部２０に格納される盛り上がり度テーブル８３を参照して、取得した各放送局ＩＤの盛り上がり度を特定するとともに、記憶部２０に格納される振動パターンテーブル８４を参照して、特定した盛り上がり度が属する数値範囲に関連付けられている振動パターンを特定する。そして、取得した各放送局ＩＤに振動パターンがそれぞれ関連付けられた振動パターンデータを、振動種別送信部７９へ与える。
【０１４８】
振動種別送信部７９では、振動種別判定部７８から振動パターンデータを受け取ると、通信部５１を制御し、該振動パターンデータを含んだデータ信号を、振動種別要求信号を送信してきた携帯端末装置１０Ａに対して送信させる。
【０１４９】
図２０は、本発明の他の実施形態に係る携帯端末装置１０Ａにおいて、制御部２０がリモコンプログラム３４を実行することによって実現される各種の機能を示す機能ブロック図である。なお、本実施形態に係る携帯端末装置１０Ａにおいて実現される各種の機能は、前述の実施形態に係る携帯端末装置１０Ａにおいて実現される各種の機能と一部において異なるだけであり、同一の構成については同一の参照符を付して説明を省略する。
【０１５０】
本実施形態では、制御部２０は、記憶部１９に記憶されるリモコンプログラム３４を実行することによって、放送局割り当て管理部４０、リモコン画面生成部４１、遠隔操作制御部４４、振動判定部４５、振動制御部４６、振動種別取得部１０１および振動種別管理部１０２として機能する。また、記憶部５４には、リモコンキーテーブル４７のほか、後述する放送局別振動パターンテーブル１０３が格納される。
【０１５１】
振動種別取得部１０１は、第２無線通信部１５を制御し、通信ネットワーク３を介して、サーバ装置５０Ａから振動種別のデータを定期的に取得する。具体的には、振動種別取得部１０１は、記憶部１９に格納されているリモコンキーテーブル４７を参照し、リモコンキーテーブル４７に記憶されている放送局ＩＤ４７ｂのデータを含んだ振動種別要求信号を、第２無線通信部１５に送信させる。そして、この振動種別要求信号に応答してサーバ装置５０Ａから送信されたデータ信号を第２無線通信部１５が受信することにより、振動種別取得部１０１は、振動パターンデータを取得する。
【０１５２】
振動種別管理部１０２は、振動種別取得部１０１によって振動パターンデータが取得されると、携帯端末装置１０Ａに搭載されているタイマ（図示せず）から現在時刻を取得し、振動パターンデータとともに、記憶部１９に格納されている放送局別振動パターンテーブル１０３に記録する。
【０１５３】
図２１は、携帯端末装置１０Ａの記憶部１９に格納される放送局別振動パターンテーブル１０３の一例を示す図である。放送局別振動パターンテーブル１０３には、図２１に示すように、リモコンキーテーブル４７に記憶されている放送局ＩＤ１０３ａに、振動パターン１０３ｂが関連付けられ、振動パターンデータを取得した時刻１０３ｃとともに格納される。この放送局別振動パターンテーブル１０３は、振動種別取得部１０１によって振動パターンデータが取得される度に、振動種別管理部１０２によって更新される。
【０１５４】
本実施形態では、振動判定部４５は、ユーザによる選局操作に応答して遠隔操作制御部４４からチャンネル番号が与えられると、リモコンキーテーブル４７を参照して、与えられたチャンネル番号のリモコンキーＩＤ４７ａに関連付けられている放送局ＩＤ４７ｂを特定するとともに、放送局別振動パターンテーブル１０３を参照して、特定した放送局ＩＤ１０３ａに関連付けられている振動パターン１０３ｂを特定する。
【０１５５】
そして、振動制御部４６では、振動判定部４５によって振動パターンが特定されると、その振動パターンで携帯端末装置１０を振動させるための振動指令信号を生成し、振動部１３へ与える。振動部１３では、制御部２０から振動制御信号が与えられると、その振動制御信号に応答して振動モータ１３ａが駆動し、これにより、携帯端末装置１０Ａは、盛り上がりの度合いに応じた振動パターンで振動する。
【０１５６】
以上のように、本実施形態によれば、前述の実施形態と同様の効果を得ることができる。また、本実施形態によれば、携帯端末装置１０Ａは、放送局別の盛り上がり度のデータではなく、放送局別の振動パターンのデータを、サーバ装置５０Ａから取得することとなる。このように、盛り上がり度のデータが携帯端末装置１０Ａによって取得されない構成とすることにより、盛り上がり度のデータが、第３者によって他の用途に転用されてしまうというおそれをなくすことができる。
【０１５７】
上述した各実施形態では、リモコンプログラム３４は、フラッシュメモリなどによって実現される記憶部１９に記憶されているが、半導体メモリおよびハードディスクなどの記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【０１５８】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【０１５９】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）／フラ
ッシュＲＯＭなどの半導体メモリを含む固定的にプログラムを担持する記録媒体であってもよい。
【符号の説明】
【０１６０】
１  情報通信システム
２  ＴＶ受像機
３  通信ネットワーク
４  ミニブログサーバ装置
１０  携帯端末装置
１３  振動部
３４  リモコンプログラム
４０  放送局割り当て管理部
４１  リモコン画面生成部
４２  盛り上がり度取得部
４３  盛り上がり度管理部
４４  遠隔操作制御部
４５  振動判定部
４６  振動制御部
４７  リモコンキーテーブル
４８  盛り上がり度テーブル
４９  振動パターンテーブル
５０  サーバ装置
７１  ミニブログ取得部
７２  キーワード管理部
７３  ミニブログ抽出部
７４  ミニブログ抽出情報管理部
７５  盛り上がり度集計部
７６  盛り上がり度管理部
７７  盛り上がり度送信部
８１  キーワードテーブル
８２  ミニブログ抽出情報テーブル
８３  盛り上がり度テーブル
【図１】
2014027636.tif 000003
【図２】
2014027636.tif 000004
【図３】
2014027636.tif 000005
【図４】
2014027636.tif 000006
【図５】
2014027636.tif 000007
【図６】
2014027636.tif 000008
【図７】
2014027636.tif 000009
【図８】
2014027636.tif 000010
【図９】
2014027636.tif 000011
【図１０】
2014027636.tif 000012
【図１１】
2014027636.tif 000013
【図１２】
2014027636.tif 000014
【図１３】
2014027636.tif 000015
【図１４】
2014027636.tif 000016
【図１５】
2014027636.tif 000017
【図１６】
2014027636.tif 000018
【図１７】
2014027636.tif 000019
【図１８】
2014027636.tif 000020
【図１９】
2014027636.tif 000021
【図２０】
2014027636.tif 000022
【図２１】
2014027636.tif 000023